(57)【要約】【課題】  封水筒の内部に手や指を挿通することなく封水筒を簡単に取り外すことができ、しかも、封水筒の内部を清掃するに当たっても、リブが邪魔となり清掃が困難となるといった事態を生じさせない排水トラップを提供する。【解決手段】  トラップ本体部１と、上部周縁にフランジ部２１を備えた封水筒２と、固定部３１の上部に鍔部３２を備えると共に封水筒２のフランジ部２１を載置する載置部３３を備えた取付リング３と、トラップ本体部１の開口を覆う目皿部材４と、を備えた排水トラップである。トラップ本体部１を排水口５の下方に位置させ、排水口５の上方から取付リング３の固定部３１を挿通して固定し且つ鍔部３２とトラップ本体部１とで排水口５の開口外縁を挟持してトラップ本体部１を設置する。そして、取付リング３に設けられた載置部３３に封水筒２のフランジ部２１を載置して目皿部材４で該フランジ部２１を上から押え付けた。【選択図】        図１
2010126918.tif 000002
【特許請求の範囲】
【請求項１】
上方が開口した容器状のトラップ本体部と、トラップ本体部の内部に封水部を形成するために設けられ上部周縁にフランジ部を備えた封水筒と、トラップ本体部と固定される固定部の上部に鍔部を備えると共に封水筒のフランジ部を載置する載置部を備えた取付リングと、トラップ本体部の上方の開口を覆う目皿部材と、を備えて成る排水トラップであって、前記トラップ本体部を排水口の下方に位置させ、排水口の上方から取付リングの固定部を挿通して該固定部とトラップ本体部とを固定し且つ鍔部とトラップ本体部とで排水口の開口外縁を挟持してトラップ本体部を設置し、取付リングに設けられた載置部に封水筒のフランジ部を載置して目皿部材で該フランジ部を上から押え付けて成ることを特徴とする排水トラップ。
【請求項２】
上記取付リングは、縦溝と、該縦溝の下部に連設された横溝とを備え、上記目皿部材は、外方に突出した係合突起を備え、目皿部材の係合突起を取付リングの縦溝に沿わせて落とし込み、目皿部材の下端で封水筒のフランジ部を下方に押さえ付けると共に該フランジ部を周方向に回転させ、目皿部材を取付リングに係合して成ることを特徴とする請求項１に記載の排水トラップ。
【発明の詳細な説明】
【技術分野】
【０００１】
本発明は、排水口の下方に設けられて封水を行なう排水トラップに関するものである。
【背景技術】
【０００２】
従来から、下水管から逆流する臭気や虫の侵入を防ぐための封水部を内部に形成した排水トラップが、排水口の下方に配設されている（例えば、特許文献１参照）。このような排水トラップは、図２に示すように、上方が開口した容器状のトラップ本体部１ａのこの開口に平面視環状の取付リング３ａを螺合して排水口５の開口外縁を挟持することで、このトラップ本体部１ａを排水口５の下方に固設してあり、排水等の汚水を内部に貯留したトラップ本体部１ａのこの汚水内に、筒状の封水筒２ａの先端を臨ませて設置することで、封水部を形成するようになっている。なお、図中の４ａは排水トラップ内に大きな異物が入り込むのを防ぐために設けられた目皿部材を示しており、この目皿部材４ａはトラップ本体部１ａの開口を覆うように、トラップ本体部１ａの上部に、ただ単に載置した後に周方向に回転させることで係止して設置したものである。
【特許文献１】特開２００８−１０６５５３号公報
【発明の開示】
【発明が解決しようとする課題】
【０００３】
ところで、この封水筒２ａをトラップ本体部１ａ内に配設するに当たっては、トラップ本体部１ａの上方の開口に螺合された取付リング３ａの内周面に、中心側に向けて突出する突起部３４ａを設けると共に、封水筒２ａの上部周縁のフランジ部２１ａにおける取付リング３ａの突起部３４ａに対応する部位に切欠を設け、その封水筒２ａのフランジ部２１ａにある切欠に取付リング３ａの突起部３４ａを挿通するようにして、封水筒２ａを落とし込み、その後封水筒２ａを周方向に回動させることで、封水筒２ａをトラップ本体部１ａに係合して設置するようになっている。
【０００４】
一方、設置された封水筒２ａを取り外すに当たっては、封水筒２ａを回動して切欠と突起部３４ａとを重ならせる必要があるため、図２に示すように、上下方向に長いリブ２２ａを封水筒２ａの内部に数箇所設けて、そのリブ２２ａに指を引掛けて封水筒２ａを回動させるようにしていた。
【０００５】
しかしながら、この排水トラップは、排水口５を通る汚れた汚水を内部に貯留したままの状態を保持して封水部を形成するものであるため、トラップ本体部１ａの内部は勿論のこと、封水筒２ａの内部にもカビやヌメリが堆積しやすくなっている。そのため、このような封水筒２ａを取り外す場合、リブ２２ａに堆積したヌメリによって、リブ２２ａに指を引掛けても滑ってしまい取り外しにくいばかりか、汚水が貯留されてカビやヌメリが堆積しているトラップ本体部１ａ内に手を突っ込んで、尚且つ、カビやヌメリが堆積したリブ２２ａに指を引掛けることは非常に不快なものであった。
【０００６】
更に、この封水筒２ａを取り外した後に封水筒２ａの内周部を清掃するに当たっても、内径の狭い封水筒２ａの内部には手を挿通しにくい上に、封水筒２ａの内部に上下に長いリブ２２ａが形成されているから、このリブ２２ａにより清掃がより一層困難なものとなっているという問題もあった。
【０００７】
本発明は、上記従来の問題に鑑みてなされたものであり、その目的とするところは、封水筒の内部に手や指を挿通することなく封水筒を簡単に取り外すことができ、しかも、封水筒の内部を清掃するに当たっても、リブが邪魔となり清掃が困難となるといった事態を生じさせない排水トラップを提供することにある。
【課題を解決するための手段】
【０００８】
上記課題を解決するために請求項１に係る発明にあっては、上方が開口した容器状のトラップ本体部１と、トラップ本体部１の内部に封水部を形成するために設けられ上部周縁にフランジ部２１を備えた封水筒２と、トラップ本体部１と固定される固定部３１の上部に鍔部３２を備えると共に封水筒２のフランジ部２１を載置する載置部３３を備えた取付リング３と、トラップ本体部１の上方の開口を覆う目皿部材４と、を備えて成る排水トラップであって、前記トラップ本体部１を排水口５の下方に位置させ、排水口５の上方から取付リング３の固定部３１を挿通して該固定部３１とトラップ本体部１とを固定し且つ鍔部３２とトラップ本体部１とで排水口５の開口外縁を挟持してトラップ本体部１を設置し、取付リング３に設けられた載置部３３に封水筒２のフランジ部２１を載置して目皿部材４で該フランジ部２１を上から押え付けて成ることを特徴とするものである。
【０００９】
このように構成したことで、取付リング３に封水筒２を取り付けるための突起部を設け且つ封水筒のフランジ部２１に切欠を設ける等といった封水筒２を取り付けるための係合構造を設ける必要がなくなり、封水筒２をただ単に取付リング３の載置部３３に載置し目皿部材４で押さえ付けるだけで封水筒２を設置することができるため、封水筒２をトラップ本体部１から取り外すに当たっても、カビやヌメリが堆積している封水筒２の内部に手や指を挿通する必要がなくなり、封水筒２のフランジ部２１等を掴んで簡単に取り外すことができる。しかも、封水筒２の内部に上下に長いリブを形成する必要がないから、リブを形成したことにより封水筒２の内部の清掃が困難になるという事態を回避することができる。
【００１０】
また、請求項２に係る発明にあっては、請求項１に係る発明において、上記取付リング３は、縦溝６１と、該縦溝６１の下部に連設された横溝６２とを備え、上記目皿部材４は、外方に突出した係合突起４２ａを備え、目皿部材４の係合突起４２ａを取付リング３の縦溝６１に沿わせて落とし込み、目皿部材４の下端で封水筒２のフランジ部２１を下方に押さえ付けると共に該フランジ部２１を周方向に回転させ、目皿部材４を取付リング３に係合して成ることを特徴とするものである。
【００１１】
このように構成したことで、請求項１に係る効果に加えて、簡単な構成によって目皿部材４で封水筒２のフランジ部２１を上から押さえ付けることができる。
【発明の効果】
【００１２】
本発明によれば、排水トラップの内部から封水筒を取り外す場合であっても、封水筒の内部に手や指を突っ込む必要がないから、手や指がカビやヌメリにより滑って封水筒を取外しにくいといった事態を招くこともないし、手や指にカビやヌメリが触れることがないから不快さを大幅に減らすことができる。また、封水筒のフランジ部を掴むだけで簡単に取りはずすことができるから、無理な姿勢で作業をすることもなくなり、作業者の負担が軽減される。その上、封水筒の内部においては上下に長いリブを無くすことができるから、封水筒の内周面が清掃し易くなるものである。
【発明を実施するための最良の形態】
【００１３】
以下、本発明について添付図面に基づいて説明する。
【００１４】
本発明の排水トラップの一実施形態として、浴室の洗い場の排水口に設けられた排水トラップに基づいて説明する。
【００１５】
図１に示す本実施形態の排水トラップは、浴室の洗い場側の床パンに設けられるものであり、上方に開口した開口部が床パン上に通じて成る容器状のトラップ本体部１と、トラップ本体部１の内側に配設されてこのトラップ本体部１の内部に封水部を形成する封水筒２と、トラップ本体部１を排水口５に取り付けるために設けられた取付リング３と、トラップ本体部１の上方の開口を覆う目皿部材４とを備えており、このトラップ本体部１の内部に形成された封水部によって、下水管から臭気が逆流したり、虫が侵入したりするのを防ぐようになっている。
【００１６】
トラップ本体部１は、洗い場を構成する床パンに形成された排水口５の排水開口部５１に配設される。トラップ本体部１は、上方に開口を有する容器形状によって主体が構成されており、そのトラップ本体部１の周壁部の上部には外側方に突出する排水口部１１を形成してある。また、この排水口部１１よりも下方の部分は水が溜まる貯溜部１２となっている。排水口部１１は図示しない下水管に接続され、トラップ本体部１の貯溜部１２から流れてきた水を排水口部１１を通じて下水管に排水できるようになっている。また、トラップ本体部１の上方に開口した開口部の内周面には、内ねじ部１３が設けられている。
【００１７】
封水筒２は、上下に開口する円筒状に形成されており、封水筒２の上部周縁にはフランジ部２１が外方に向けて突設してある。本実施形態におけるフランジ部２１は、封水筒２の開口周縁の全周に亘って設けられており、封水筒２をトラップ本体部１に取り付けるための切欠等は一切設けられていない。さらに、この封水筒２の内周面には、従来のように指を引掛けるための上下に長いリブ２２ａが形成されておらず、封水筒２の内周面は平坦な曲面となっている。
【００１８】
取付リング３は、平面視リング状の胴部３４と、この胴部３４の上部の開口周縁から外方に向けて突設される鍔部３２と、胴部３４の下部の開口周縁から内方に向けて突設される下横片３５とを備えており、この下横片３５が封水筒２のフランジ部２１を載置する載置部３３となっている。取付リング３の胴部３４の外周面には、トラップ本体部１の開口部の内ねじ部１３と螺合する外ねじ部３６が螺刻されて、トラップ本体部１と螺合できるようになっており、この取付リング３の胴部３４がトラップ本体部１と固定される固定部３１となっている。さらに、本実施形態におけるこの取付リング３の胴部３４の内周面には、目皿部材４を取り付けるための被係合部６が複数個所に設けられており、この被係合部６は、胴部３４の上端から下方に向けて設けられた縦溝６１と、この縦溝６１の下部と連続して水平方向に（取付リング３の周方向に）向けて形成された横溝６２とで構成されており、縦溝６１と横溝６２とで略Ｌ字状を成した被係合部６を構成している。しかも、この取付リング３の下横片３５には、平面視リング状の封水筒パッキン７が固設されている。この封水筒パッキン７は、断面半円形状を成すゴムから形成されており、取付リング３の下横片３５に設けられた平面視環状の凹溝に、封水筒パッキン７の下端部を嵌合して設置し、断面半円形状における曲面側が上方となるように設置されている。
【００１９】
本実施形態の目皿部材４は、洗い場からの排水内にある毛髪等を捕捉して排水トラップ内部に流入するのを防ぐヘアーキャッチャーから成るものであり、この目皿部材４は、目皿部材４の外周を形成する縦壁から成る外周部４１と、外周部４１（縦壁）の上端から中央に向けて連設されて多数の排水孔４３１が穿設された目皿部４３と、目皿部４３と連設して設けられて目皿部材４の中央部において上方に向けて突設された筒状のオーバーフロー部４４とを備えている。この外周部４１には、外方に向けて突設された係合突起４２ａから成る係合部４２が形成されており、取付リング３に設けられた縦溝６１（被係合部６）と対応する位置に複数設けられている。また、目皿部４３は、外周部４１の縦壁の上端から中央に向けて連続して設けられ、且つ、中心側ほど低くなるようにして設けられており、目皿部４３の略全面に亘って排水孔４３１が穿設されている。筒状のオーバーフロー部４４は上方に向けて開口を有しており、この開口から排水を流入することができるようになっている。つまり、目皿部４３に毛髪や異物が捕捉されて目皿部４３の排水孔４３１を通して排水しづらくなり、床パン上の水位が上昇した場合であっても、オーバーフロー部４４が設けられていることで、このオーバーフロー部４４によって排水することができるため、脱衣所等に漏水してしまうのを防止することができるようになっている。
【００２０】
このような構成の排水トラップを洗い場の床パンに設けられた排水口５の下方に配設するに当たっては、次のようにして設置する。
【００２１】
洗い場を構成する床パンに形成された排水口５の排水開口部５１の縁部（端部）を、断面略コ字状のフランジパッキン８で上下から挟み込み、排水開口部５１の開口周縁の全長に亘って配設する。その後、洗い場の床パンの下方に排水トラップを配設するのであるが、その際に、排水開口部５１の開口とトラップ本体部１の上方の開口とが一致させるようにして位置させる。その状態を維持したまま、あらかじめリング状のスベリワッシャー９を配設しておいた取付リング３の胴部３４（固定部３１）を、床パンの排水口５の排水開口部５１に上方から挿通する。そして、取付リング３の外周面に設けられた外ねじ部３６と、トラップ本体部１の上方の開口に設けられた内ねじ部１３とを螺合させる。そのまま螺合していくと、フランジパッキン８が、取付リング３の鍔部３２と床パン上面、及び、床パン下面とトラップ本体部１によって挟持されて（つまり、鍔部３２とトラップ本体部１とで排水口５の開口外縁を挟持して）押し潰され、シール性能を発揮できる状態となり、これによりトラップ本体部１が排水口５の下部に固定して設置された状態となる。
【００２２】
つぎに、固設されたトラップ本体部１の内部に封水筒２を配設するのであるが、この封水筒２を設置するに当たっては、封水筒２のフランジ部２１を固設された取付リング３の載置部３３上に、ただ単に載置するのみでよい。
【００２３】
そして、その載置された封水筒２の上方から目皿部材４を設置して、この目皿部材４で封水筒２のフランジ部２１を上から押さえ付けるようにする。詳しくは、目皿部材４の係合突起４２ａ（係合部４２）を取付リング３の内周面に設けられた縦溝６１（被係合部６）に沿わせて、目皿部材４を落とし込むようにする。目皿部材４の下端部と封水筒２のフランジ部２１とが当接した状態で、少し目皿部材４を下方に押し込み、少し押し込んだ状態で係合突起４２ａ（係合部４２）が横溝６２（被係合部６）に差し掛かるようになっているから、この少し押し込んだ状態において目皿部材４を周方向に回転させ、目皿部材４を取付リング３に係合させる。このように少し押し込んだ状態で係合突起４２ａを横溝６２にスライドして嵌め込むようになっているから、封水筒パッキン７が適度に押圧されて押し潰された状態で（つまり最適な押圧状態で）、封水筒２を設置できるようになっており、シール性能が十分に発揮できるようになっている。
【００２４】
上記のように、本実施形態の封水筒２は、取付リング３の載置部３３上に、ただ単に着脱自在に載置して目皿部材４で押さえ付けるのみで設置しているから、封水筒２を取り外すに当たっても、目皿部材４を取り外せば、封水筒２のフランジ部２１を指で摘んで持ち上げるだけで簡単に封水筒２を取り外すことができる。つまり、従来のように封水筒２の内部に手や指を突っ込んで、しかも、封水筒２を周方向に回転して取り外すことはしなくてもよく、カビやヌメリが堆積した部分を触らなくても封水筒２を取り外すことができる。なお、当然のことながら、カビやヌメリにより滑ってしまい、封水筒２を取り外しにくいという事態も生じない。
【００２５】
また、封水筒２を取り外すに当たって、排水トラップの奥部にまで手を挿通して且つ手や指が滑らないように力みつつ封水筒２を回転させる必要のある従来の排水トラップは、前かがみの無理な体勢による作業となってしまい、作業者に負担が掛かるものとなっていたが、本発明の排水トラップは、上記のように、封水筒２のフランジ部２１等を掴んで簡単に取り外すことができるようになっており、作業者に掛ける負担を低減させることができる。
【００２６】
さらに、封水筒２の内面は、リブなどの突起物はなく平坦な曲面で形成されているから、封水筒２の内周面に付着したカビやヌメリを清掃する場合においても、簡単な作業でこれらの汚れをとることができる。つまり、従来のように封水筒２ａの内周面に上下に長いリブ２２ａが形成されたものにおいては、そのリブ２２ａにより形成される入隅部を一般的に使用される清掃用スポンジで清掃することは困難であったため、その入隅部に届くブラシを使用して清掃する必要があったが、本実施形態の封水筒２の内周面には突出部がないために、一般的に使用される清掃用スポンジによって簡単に汚れを除去することができるようになる。
【００２７】
また、本実施形態の封水筒パッキン７は上方が曲面となるようにして配設されているから、断面矩形状のものと比べて止水性能が向上するようになっている。なお、この封水筒パッキン７の断面形状は、半円形のものに限定されず、例えば、断面三角形状を採用しても本実施形態のもののようにシール性能を向上させることができる。また、上記実施例の封水筒パッキン７は、取付リング３の載置部３３に固設して設けたが、封水筒２のフランジ部２１の裏面に固設してもよく、また、単にリング状の封水筒パッキン７として封水筒２や取付リング３とは別体として設けても良く、特に限定されるものではない。
【００２８】
更に言えば、封水筒２のフランジ部２１には、封水筒２をトラップ本体部１に取り付けるための切欠等は一切設けられていないから、封水筒２の製作に必要な作業工数を減らすことができるという効果は勿論のこと、封水筒２の形状が切欠などのない非常にシンプルな形状であるから、一般的に使用される清掃用スポンジが届きにくい場所が無く、清掃時間を短縮することができるという利点も有している。
【００２９】
以上、浴室の洗い場を構成する床パンに配設された排水トラップに基づいて、本発明の排水トラップを説明したが、本発明の排水トラップは、例えば、台所シンクにおける排水口等といったあらゆる排水口においても適用することができる。
【００３０】
なお、本実施形態の取付リング３に設けた被係合部６における横溝６２は、縦溝６１の下部から水平方向に向けて形成したが、特に限定されるものではなく、例えば、縦溝６１の下部から周方向に、且つ、縦溝６１から離れるほど下方になるように横溝６２を設けて、目皿部材４の所定の回転位置によって、封水筒パッキン７の適切な変形量となるように構成し、止水性能を発揮することができるようにしても良い。
【図面の簡単な説明】
【００３１】
【図１】本発明の一実施形態の側断面図である。
【図２】従来例の側断面図である。
【符号の説明】
【００３２】
１      トラップ本体部
１１    排水口部
１２    貯溜部
１３    内ねじ部
２      封水筒
２１    フランジ部
３      取付リング
３１    固定部
３２    鍔部
３３    載置部
３４    胴部
３５    下横片
３６    外ねじ部
４      目皿部材
４１    外周部
４２    係合部
４２ａ  係合突起
４３    目皿部
４３１  排水孔
４４    オーバーフロー部
５      排水口
５１    排水開口部
６      被係合部
６１    縦溝
６２    横溝
７      封水筒パッキン
８      フランジパッキン
９      スベリワッシャー
【図１】
2010126918.tif 000003
【図２】
2010126918.tif 000004